(57)【要約】      （修正有）【課題】本考案は、浸漬中であっても、ほぼ通常どおりの歩行動作が可能であって、また、一定の浸漬時間で経皮吸収される量の木酢液が保持され、浸漬終了直後に取り外さなくても、過剰反応や副作用が生じ難く、さらに、最も反復・継続的な浸漬が必要な足指のみに必要十分な木酢液が供給され、木酢液の無駄が少ない木酢液浸漬手段である、足健康管理用品を提供することを主要な課題とする。【解決手段】足健康管理用品は、以下のイに記載する足指浸漬用布１１と、ロに記載する木酢液３からなる。イ．略矩形状の不織布２の内側に３個の切断部分２１を設け、当該３個の切断部分にそれぞれ、人の足の第２指、第３指、第４指を挿入可能とした足指浸漬用布１１ロ．滴下用容器４に収納された木酢液３。【選択図】図５
0003100965.tif 000002
【実用新案登録請求の範囲】
【請求項１】
以下のイに記載する足指浸漬用布と、ロに記載する木酢液からなる足健康管理用品。
イ．  略矩形状の不織布の内側部分に３個の切断部分を設け、当該３個の切断部分にそれぞれ、人の足の第２指、第３指、第４指を挿入可能とした足指浸漬用布
ロ．滴下用容器に収納された木酢液
【請求項２】
イに記載する足指浸漬用布が、レーヨン繊維、ナイロン繊維、ポリエステル繊維、アクリル繊維乃至綿繊維のいずれかの繊維、又はこれら繊維の２種以上の繊維の混合物を原料とする不織布からなる足指浸漬用布であることを特徴とする足健康管理用品。
【請求項３】
ロに記載する木酢液が、ヨモギ、ドクダミ、ニンニク乃至ムクゲのいずれかのエキスを含むことを特徴とする請求項１乃至２のいずれか記載の足健康管理用品。
【請求項４】
請求項１乃至３記載いずれか記載の足健康管理用品にさらに、液体不透過材料からなり、足指部分を覆うカバーを付加したことを特徴とする足健康管理用品。
【請求項５】
前記カバーが、足を挿入する開口部と１以上の空気孔を有する、袋状カバーであることを特徴とする請求項４記載の足健康管理用品。
【考案の詳細な説明】
【技術分野】
【０００１】
本考案は木酢液を使用して人の足を浸漬することにより、足の悪臭を減少させ、また、足を滅菌する足健康管理用品に関するものである。
【背景技術】
【０００２】
足を木酢液に浸して、足の悪臭を減少あるいは悪臭の発生を予防し、また、水虫を改善する方法が知られている（例えば、特許文献１参照）。
【特許文献１】特開平７−２５７７８号公報
【考案の開示】
【考案が解決しようとする課題】
【０００３】
前記の従来技術は、５本指靴下を着用し、当該着用した靴下の上から木酢液をふりかけて、その後一定時間をおくことにより、木酢液にて足を浸漬するものである（以下、靴下法という）。
しかし、靴下法によれば、浸漬中は、靴下に多量の木酢液が保持されており、たとえ靴下の上から防水カバーを着用しても、足裏に木酢液が溜まった状態で歩行は困難である。よって、施用者は１〜２時間の浸漬中、静止している必要があった。
【０００４】
一方、木酢液に皮膚を長時間浸漬すると、皮膚のかぶれなどの過剰反応・副作用が生じることがある。よって、１回の浸漬時間は、１〜２時間とすることが好ましい。従来の靴下法では、浸漬開始時点より時間を計測し、一定時間経過後に、靴下を脱衣して浸漬を取り止める必要があった。
さらに、悪臭や水虫は主として足指の間に生じるものであり、反復・継続的な浸漬が必要なのは、足指の間である。にもかかわらず、靴下法による浸漬は、足指の間だけの浸漬を行う場合にも、足裏全体、足の側面にまで十分いきわたる量の木酢液を必要とするので、木酢液が過剰に必要であった。
【０００５】
そこで、本考案は、浸漬中であっても、施用者は静止している必要がなく、通常の歩行動作が可能となる足健康管理用品を提供することを課題とする。
また、本考案は、一定の浸漬時間で経皮吸収される量の木酢液が保持され、浸漬終了直後に取り外さなくても、過剰反応や副作用が生じ難い足健康管理用品を提供することを課題とする。
【０００６】
さらに、本考案は、最も反復・継続的な浸漬が必要な足指のみに必要十分な木酢液が供給され、木酢液の無駄が少ない足健康管理用品を提供することを課題とする。
その他の本考案の課題は、下記の本考案を説明する記述により明らかになろう。
【課題を解決するための手段】
【０００７】
上記の課題を解決するため、請求項１にかかる足健康管理用品は、以下のイに記載する足指浸漬用布と、ロに記載する木酢液からなる。
イ．  略矩形状の不織布の内側に３個の切断部分を設け、当該３個の切断部分にそれぞれ、人の足の第２指、第３指、第４指を挿入可能とした足指浸漬用布
ロ．滴下用容器に収納された木酢液
一般に不織布は織物に比較して保水量が少ない。足指浸漬用布は、不織布からなるので、布に保持可能な木酢液の量が適切な一定量となる。保持量以上の量を注ぎかけても、当該足指浸漬用布の保持量を超える木酢液は下に落ちる。そして、人の足指をカバーする面積の足指浸漬用布は１〜２時間程度で、経皮吸収される量（及び蒸発する量）の木酢液を保持可能である。成人男性が施用して、１時間３０分で吸収、蒸発し、足指浸漬用布が乾いた状態になる溶液量は、約１．５ｍｌである。
さらに不織布を用いるので、５本指靴下などの織物を用いるよりも、安価である。
【０００８】
また、足指浸漬用布は、３箇所の切断部分を設けて、人の足の第２指、第３指、第４指を挿入可能としたので、４箇所ある足指の間全てに布が入り、足指間すべてに布ひいては木酢液を配布することが出来る。足指浸漬用布の切断個所は、３個以上であれば、４個、５個と数を増やすことができる。このようにすれば、拇指（第１指）と小指（第５指）の外側にも、足指浸漬用布の一部を位置付けることができる。
【０００９】
ここで、足指浸漬用布において「内側に（省略）切断部分を設け」とは、平面状の不織布の表と裏を貫通する切断部分（線）が、不織布の輪郭線と交差しない構造をいう。従って、切断線は、輪状に広がり、その中に足指を受け入れることが出来る。本考案にいう切断部分は、線状である１本線と、面状の切断面を含むものである。
木酢液は、容器から滴下して排出されるので、これを前記の足指浸漬用布に注ぎかけることが容易になる。また、足指浸漬用布へ注ぎかける場合に、保持量極限を超過した時点で、滴下を止めることが出来るので、使い勝手がよい。
【００１０】
請求項２にかかる足健康管理用具は、イに記載する足指浸漬用布が、レーヨン繊維、ナイロン繊維、ポリエステル繊維、アクリル繊維乃至綿繊維のいずれかの繊維、又はこれら繊維の２種以上の混合物を原料とする不織布からなる足指浸漬用布であることを特徴とする。
これらを原料とする不織布は、繊維の保水量が適度であり、足指浸漬用布としての保水量を、前記一定時間に経皮吸収（蒸発）される量である一定値に設計することが容易になるという特徴がある。
【００１１】
請求項３にかかる足健康管理用具は、請求項１乃至２のいずれか記載の足健康管理用品において、ロに記載する木酢液が、ヨモギ、ドクダミ、ニンニク乃至ムクゲのいずれかのエキスを含むことを特徴とする。
木酢液にこれらの植物エキスを加えることにより、減臭・滅菌効果を増大させることができる。そのため、より効果的な足健康管理用品となる。ここで、エキスとは、抽出物及び／又は浸出物をいう。よって、これらの植物体を乾燥せず、またはその乾燥物を木酢液に漬け込んでおくことによって、調製することができる。また、これら植物体から水・有機溶媒（例えばアルコール）などにより抽出した抽出物を木酢液に混合して調整することも出来る。これら植物体の添加量は、一般に、０．１ｇ〜３ｇ（乾燥物重量）／１００ｍｌ（木酢液）である。
【００１２】
請求項４にかかる足健康管理用品は、請求項１乃至３記載いずれか記載の足健康管理用品にさらに、液体不透過材料からなり、足指部分を覆うカバーを付加したことを特徴とする。
液体不透過材料とは、例えば塩化ビニール、ポリエチレン、ポリプロピレンなどの合成樹脂フィルムや、合成樹脂フィルムをラミネートした紙、あるいは防水処理をした紙（例えば油紙）などをいう。
【００１３】
カバーは足挿入用の開口部を有する袋状でもよく、また、幅がせまくて長い、帯状であってもよい。帯状カバーは包帯のように巻きつけて使用することができる。袋状カバーが使いやすい。
足指に足浸漬用布を装着し、木酢液を滴下したのち、当該カバーを装着し、さらにソックス等を着用し、あるいは着用せず、そのまま履物を履き、浸漬中に歩行が可能となるので、さらに実用性が高い足健康管理用品となる。
【００１４】
請求項５にかかる足健康管理用品は、前記カバーが、足を挿入する開口部と１以上の空気孔を有する、袋状カバーであることを特徴とする。空気孔を設けると、装着時のムレを防止可能となる。空気孔形成方法の一例は、先端部の両端や先端部中央部を開口辺とすること、また、表裏に散点状に空気孔を設けることなどが挙げられる。
【００１５】
本考案において不織布とは、繊維を、接着剤、熱、あるいは針や水の力で絡ませたりしてシート状に形成したものをいう。本考案において不織布は、以下のような製法で製造した全てを含む。
（１）繊維とパルプまたは接着繊維を抄紙方式でシート状にする湿式不織布。（接着剤で接合する「ケミカルボンド」、自己接着または接着繊維で結合する「サーマルボンド」、高圧水流で交絡する「スパンレース」を含む）
（２）粉砕パルプを接着剤または接着繊維で接着する乾式パルプ不織布。（接着剤を散布してパルプを結合する「ケミカルボンド」、接着繊維を混合してパルプを結合した「サーマルボンド」を含む）
（３）繊維をカード方式などでシートにする乾式不織布。（前述の「ケミカルボンド」、「サーマルボンド」、「スパンレース」の方法で結合する以外に、針でウェブをニードリングして交絡させる「ニードルパンチ」、ウェブがほぐれないように糸で編み込む「ステッチボンド」を含む）
（４）スパンボンド不織布、メルトブロー式不織布、フラッシュ紡糸不織布、トウ開繊式不織布
【００１６】
また、本発明において、木酢液とは、木材（例えば、ナラ、ウバメガシ、アラカシ、シラカシ、クヌギ、クリ、カラマツ、シラカバ、マングローブなど、さらに孟宗竹、まだけ、めだけ、ねざさなどの竹であってもよく、竹を含む）を乾留して得られる液体生成物をいう。通常は、炭焼き時に副生物として得られる。また、樹木を炭化しない温度で加熱する過程で得られる液体成分である「無炭化樹木乾留液」（特開２００３−１４６８２１号）を含むものである。
本考案にかかる木酢液は、粗木酢液を含むが、精製した木酢液を用いることも出来る。粗木酢液は、静置、濾過、蒸留などにより精製することが出来る。精製した木酢液を用いることが好ましい。
【００１７】
本考案において、滴下用容器とは、容器に収納した液を液滴として順次排出可能な容器をいい、容器の液出口の内径が、０．３ｍｍ〜４ｍｍ程度、好ましくは、１ｍｍ〜３ｍｍ程度、もっとも好ましくは、１．５ｍｍ〜２．５ｍｍである出口を備えた容器をいう。
容器の材質に制限はなく、例えば、合成樹脂、硝子、木、アルミニウム板などが使用できる。好ましくは、塩化ビニル、ポリエチレン、ＰＥＴなどである。なかでも、たわめることが可能な（可撓性のある）材料で作成することが好ましい。１滴ずつの滴下が容易に行えるからである。
【考案の効果】
【００１８】
本考案によれば、浸漬中であっても静止している必要がなく、通常の歩行動作が可能となる足指健康管理用具が提供される。また、本考案は、浸漬終了後の取り外しが遅くなっても、過剰反応や副作用が生じ難い足指健康管理用具が提供される。
さらに、本考案によれば、木酢液の無駄が少なく、また、浸漬用布を安価に製造可能な足指健康管理用具が提供される。
【００１９】
このようにして、忙しい現代人が、仕事や学校に出かける前に装着すれば、そのまま帰宅するまで、装着しておくことも可能となるので、反復継続施用に便利な足指健康管理用具となる。
【考案を実施するための最良の形態】
【００２０】
以下に実施例により、本考案にかかる足健康管理用品をさらに説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【実施例１】
【００２１】
図１は、足指浸漬用布１（１１）の平面説明図である。長方形の不織布２の内部に、３個の半円形切り込み２１が形成されている。不織布２は縦３０〜３５ｍｍ、横８０〜９０ｍｍ、厚さ約１ｍｍであり、レーヨン繊維を材料とする乾式不織布である。この不織布２は、木酢液約１．５ｍｌを保持出来る。
図２は、足指浸漬用布１（１１）を足に装着した状態を示す説明図である。図中６は足であり、６１は第１指（拇指）、６２は第２指、６３は第３指、６４は第４指、６５は第５指（小指）である。足指浸漬用布１（１１）の３個の切り込み２１にそれぞれ第２指６２、第３指６３、第４指６４を貫通して装着している。よって、４箇所ある足指の間それぞれに、足指浸漬用布１（１１）の一部分が位置付けられている。
【００２２】
図３は、木酢液滴下容器の斜視図である。木酢液３は滴下容器４内に収納されている。滴下容器４はポリ塩化ビニル製であり、円柱形の本体部分と注ぎ口部分４４からなり、注ぎ口先の内径４１は２ｍｍである。滴下容器４の本体部分を握りこむように変形させると、木酢液３は、液滴４２となって落下する。４３は滴下容器４の蓋である。
木酢液３は、カシの木材を炭にする時に得られた粗木酢液を静置法により精製したものである。
【００２３】
図４は、カバー１の説明図である。カバー１（５１）は、ポリエチレン製であり、足挿入用開口部５５と、３つの閉鎖辺５９からなり、また、左右部分は、２つの開口孔５６が形成されている。
【００２４】
続いて、足指健康管理用具の使用方法を説明する。
まず、足指浸漬用布１１を足に装着する。次に、滴下容器４の木酢液３を、足指浸漬用布１（１１）に滴下する。木酢液の量が多くなると、足指浸漬用布の保水量を超え、木酢液が落下を始めるのでこの時点で木酢液の滴下を終了する。
さらに、足指部分にカバー１（５１）を装着する。図５は、カバー１を足に装着した状態を示す説明図である。カバー１（５１）は足指部分を覆う大きさである。しかし、カバー１（５１）の一部は、土踏まずに至ることもある。第１指と第５指が覆われる部分の一部は、空気孔１（５６）となっており、カバー１と足指表面の間を空気が流通可能となる。
【００２５】
この後、好ましくはソックスを着用して、履物をはけば通常に近い歩行が可能となる。また、木酢液は１〜２時間程度で経皮吸収され（一部分は蒸発して）、無くなる。このため、浸漬終了直後に、足指浸漬用布１（１１）を脱衣する必要は、必ずしもない。さらに、その後も足指浸漬用布１とカバー１の装着を余儀なくされる場合にあっても、カバー１の空気孔１通じて空気が流通するので、足のムレが軽減される。
【実施例２】
【００２６】
図６は、足指浸漬用布の変形実施例を説明する平面説明図である。
（ａ）に示す足指浸漬用布２（１２）は、長方形の不織布２の、内側に３個のＩ字形切り込み２２を入れたものである。２６は、輪郭線から内側方向に向かう一部切断線である、外れ防止切り込みである。外れ防止切り込み２６を設けると、各足指の回りに位置付けられる足指浸漬用布２の一部分の配置の自由度が増し、外れ難くなる。２７は、面取り部分である。面取り部分を設けると体裁が向上する。
（ｂ）に示す足指浸漬用布３（１３）は、長方形の不織布２の、内側部分を円形に打ち抜いて穴２３を形成し、穴２３の輪郭線上の４箇所から十字形切り込み２４を入れたものである。円形打ち抜き穴２３は３個設けている。
【００２７】
（ｃ）に示す足指浸漬用布４（１４）は、長方形の不織布２の、内側に３個の星形切り込み２５を入れたものである。
（ｄ）に示す足指浸漬用布５（１５）は、長方形の不織布２の、内側に４個の半円形切り込み２１を入れたものである。
（ｅ）に示す足指浸漬用布６（１６）は、長方形の不織布２の、内側に５個の半円形切り込み２１を入れたものである。
【実施例３】
【００２８】
図７は、カバーの変形実施例を説明する説明図である。
（ａ）に示すカバー２（５２）は、全体を台形形状とし、かつ、足挿入用開口部５５の対辺を空気孔２（５７）としたものである。図中５９は、２箇所の閉鎖辺を示している。
（ｂ）に示すカバー３（５３）は、全体を長方形とし、裏と表２面の足指の先が当接する部分に複数かつ小さな円形の空気孔３（５８）を設けたものである。また、図中５５は、足挿入用開口部を示し、５９は閉鎖辺を示している。
（ｃ）に示すカバー４（５４）は、全体が長方形であり、空気孔を持たない構造である。図中５５は、足挿入用開口部を示し、５９は閉鎖辺を示している。
【産業上の利用可能性】
【００２９】
本考案にかかる足指健康管理用具は、足の悪臭防止や水虫の改善などの用途がある健康管理用具である。
【図面の簡単な説明】
【００３０】
【図１】足指浸漬用布１の平面説明図である。
【図２】足指浸漬用布１を足に装着した状態を示す説明図である。
【図３】木酢液滴下容器の斜視図である。
【図４】カバーの説明図である。
【００３１】
【図５】カバーを足に装着した状態を示す説明図である。
【図６】足指浸漬用布の変形実施例を説明する平面説明図である。
【図７】カバーの変形実施例を説明する説明図である。
【符号の説明】
【００３２】
２    不織布
３    木酢液
４    滴下容器
６    足
１１    足指浸漬用布１
２１    半円形切り込み
２２    Ｉ字形切り込み
２６    外れ防止切り込み
２７    面取り部
４１    注ぎ口内径
４３    滴下容器の蓋
５１    カバー１
５５    足挿入用開口部
５６    空気孔１
５９    閉鎖辺
【図１】
0003100965.tif 000003
【図２】
0003100965.tif 000004
【図３】
0003100965.tif 000005
【図４】
0003100965.tif 000006
【図５】
0003100965.tif 000007
【図６】
0003100965.tif 000008
【図７】
0003100965.tif 000009
【手続補正書】
【提出日】平成15年10月16日(2003.10.16)
【手続補正１】
【補正対象書類名】実用新案登録請求の範囲
【補正対象項目名】請求項２
【補正方法】変更
【補正の内容】
【請求項２】
イに記載する足指浸漬用布が、レーヨン繊維、ナイロン繊維、ポリエステル繊維、アクリル繊維乃至綿繊維のいずれかの繊維、又はこれら繊維の２種以上の繊維の混合物を原料とする不織布からなる足指浸漬用布であることを特徴とする請求項１記載の足健康管理用品。
【手続補正２】
【補正対象書類名】明細書
【補正対象項目名】００１０
【補正方法】変更
【補正の内容】
【００１０】
請求項２にかかる足健康管理用具は、請求項１に記載した足健康管理用品において、イに記載する足指浸漬用布が、レーヨン繊維、ナイロン繊維、ポリエステル繊維、アクリル繊維乃至綿繊維のいずれかの繊維、又はこれら繊維の２種以上の混合物を原料とする不織布からなる足指浸漬用布であることを特徴とする。
これらを原料とする不織布は、繊維の保水量が適度であり、足指浸漬用布としての保水量を、前記一定時間に経皮吸収（蒸発）される量である一定値に設計することが容易になるという特徴がある。